(57)【要約】【課題】涼快な装着感と遮蔽性能とを両立し、フィルターの脱着の容易性も達成したマスクを提供すること。【解決手段】本考案のマスク１は、装着状態では口を覆う本体部２と、本体部２の左右両側に取り付けられた耳掛け輪３とを有しており、本体部２はメッシュ布地で構成されており、両端が本体部２の裏面における上端側と下端側とに接合されたフィルター固定帯４とを有し、フィルター固定帯４には補強部材が内包されている。【選択図】図４
0003227797.tif 000002
【実用新案登録請求の範囲】
【請求項１】
装着状態では口を覆う本体部と、前記本体部の左右両側に取り付けられた耳掛け輪とを有するマスクであって、
前記本体部はメッシュ布地で構成されており、
両端が前記本体部の裏面における上端側と下端側とに接合されたフィルター固定帯とを有し、
前記フィルター固定帯には補強部材が内包されているマスク。
【請求項２】
請求項１に記載のマスクであって、
前記本体部を構成するメッシュ布地に抗菌性ガラス繊維が含まれており、
前記本体部と前記フィルター固定帯との間に脱着可能に挟み込まれるフィルターを有し、
前記フィルターが静電吸着繊維で形成されているものであるマスク。
【考案の詳細な説明】
【技術分野】
【０００１】
本考案は、顔面に装着して口を覆うマスクに関するものである。
【背景技術】
【０００２】
従来から、顔面に装着して口を覆う衛生用のマスクが使用されている（特許文献１等）。衛生マスクで口を覆うことにより、ウィルスや細菌等を外部へ拡散させることを防止できるからである。また、外部からウィルスや細菌等を吸引してしまうことを抑制する効果も期待される。
【先行技術文献】
【特許文献】
【０００３】
【特許文献１】実用新案登録第3098246号公報
【考案の概要】
【考案が解決しようとする課題】
【０００４】
しかしながら従来の衛生用マスクには、装着時に息苦しさや暑苦しさを感じやすいという問題点が指摘されていた。このため粗めの布地を使用することが考えられるが、それではウィルス等を遮蔽する能力が弱い。本体とフィルターとを別体することも試みられているが、本体とフィルターとの脱着操作が必ずしも簡単でない。
【０００５】
本考案は、前記した従来の技術が有する問題点を解決するためになされたものである。すなわちその課題とするところは、涼快な装着感と遮蔽性能とを両立し、フィルターの脱着の容易性も達成したマスクを提供することにある。
【課題を解決するための手段】
【０００６】
本考案の一態様におけるマスクは、装着状態では口を覆う本体部と、本体部の左右両側に取り付けられた耳掛け輪とを有するマスクであって、本体部はメッシュ布地で構成されており、両端が本体部の裏面における上端側と下端側とに接合されたフィルター固定帯とを有し、フィルター固定帯には補強部材が内包されているものである。
【０００７】
上記態様におけるマスクでは、口を覆う本体部がメッシュ布地で構成されているので装着状態でも涼快感がある。本体部の裏面側にフィルターを取り付けてフィルター固定帯で固定することができ、フィルターにより遮蔽性が発揮される。フィルター固定帯の補強部材により、フィルターの脱落が防止され、また本体部の突き出し形状が維持される。
【０００８】
上記態様におけるマスクでは、本体部を構成するメッシュ布地に抗菌性ガラス繊維が含まれており、本体部とフィルター固定帯との間に脱着可能に挟み込まれるフィルターを有し、フィルターが静電吸着繊維で形成されているものであることが望ましい。これにより、制菌効果、消臭効果が発揮されり、捕集機能と通気性とのよりよい両立が図られる。
【考案の効果】
【０００９】
本考案によれば、涼快な装着感と遮蔽性能とを両立し、フィルターの脱着の容易性も達成したマスクが提供されている。
【図面の簡単な説明】
【００１０】
【図１】実施の形態に係るマスクを斜め前方から見た斜視図である。
【図２】実施の形態に係るマスクを裏面側から見た斜視図である。
【図３】フィルター固定帯の構成を示す斜視図である。
【図４】実施の形態に係るマスクにフィルターを取り付ける状況を示す斜視図である。
【図５】実施の形態に係るマスクにフィルターを取り付けている状況を斜め前方から見た斜視図である。
【考案を実施するための形態】
【００１１】
以下、本考案を具体化した実施の形態について、添付図面を参照しつつ詳細に説明する。本形態は、図１に示すマスク１として本考案を具体化したものである。図１のマスク１は基本的に、本体部２と、左右両側の耳掛け輪３とにより全体形をなしているものである。本体部２は、装着状態ではユーザーの口を覆う部分である。本形態における本体部２は、メッシュ布地で構成されている。本体部２の左右両辺には耳掛け輪３が取り付けられている。本体部２は、装着するために耳掛け輪３同士が遠ざかるように開いた状態で、中央部分が前方に向かって突出する形状となる形になっている。
【００１２】
図２にマスク１の裏面側を示す。マスク１の裏面側には、フィルター固定帯４が取り付けられている。フィルター固定帯４は、長尺状の部材であり、本体部２の裏面における左右方向の中央に取り付けられている。フィルター固定帯４の上端が本体部２の裏面の上端付近に、下端が本体部２の裏面の下端付近に、それぞれ接合されている。フィルター固定帯４の両端を除いた中腹部分は、本体部２に接合されていない。フィルター固定帯４には、図３に示すように補強部材６が内蔵されている。補強部材６は、針金あるいはプラスチック片等の、布材よりは硬く、かつ可撓性のある素材でできているワイヤー状の部材である。
【００１３】
マスク１の裏面側には図４に示すように、フィルター５を取り付けることができる。フィルター５としては、本体部２のメッシュ布地よりも高密度に形成された静電吸着繊維の不織布を用いることができる。フィルター５は、本体部２とフィルター固定帯４との間に挟み込まれる。図４では向かって右側からフィルター５を挿し込んでいるが向かって左側から挿し込むこともできる。このようにすることで、少なくともユーザーの顔に装着している状態でフィルター５がひとりでに落ちてしまうことがない程度に、フィルター５をマスク１の裏面側に容易に固定することができる。
【００１４】
フィルター固定帯４は、内蔵している補強部材６により、一定した形状をある程度安定して保つことができる。図１や図２中に示されているフィルター固定帯４は、上下両端よりも中腹部分が前方に突出している形状となっている。この形状が、補強部材６により維持されるフィルター固定帯４の基本形状である。図４中ではフィルター５の取り付け操作のために一時的にフィルター固定帯４の中腹部分を本体部２から引き離す方向に変形させた状態となっている。この変形は手で容易にでき、取り付け後に元の基本形状に戻すことも容易にできる。
【００１５】
この補強部材６によるフィルター固定帯４の形状維持機能も、フィルター５をマスク１の裏面側に固定することに貢献している。補強部材６によるフィルター固定帯４の形状維持機能はまた、マスク１の本体部２の全体形状を、中心部分が前方に突出している形状に維持することにも貢献している。この本体部２の全体形状のため、フィルター５や本体部２の裏面、およびフィルター固定帯４が、装着状態でもユーザーの顔面にあまり強く接触することがない。
【００１６】
フィルター５を取り付けている状態で前方から見ると図５に示すように、フィルター５が透けて見える。本体部２がメッシュ布地だからである。図５に示される状態は、耳掛け輪３の形状を除いて、ユーザーが顔に装着している状態と同じである。ユーザーは、このようにして本形態のマスク１を装着していても、あまり暑さや息苦しさを感じない。その理由は、本体部２がメッシュ布地で構成されており通気性がよいからである。このため、気温の高い日中でも長時間にわたって装着し続けることが無理なくできる。それでいて、マスク１に求められる遮蔽効果は十分である。フィルター５が装着されているからである。フィルター５には防塵効果もある。
【００１７】
本形態のマスク１では、フィルター５を取り換えることができる。また、本体部２（本段落ではフィルター固定帯４および耳掛け輪３を含むものとする。）については洗濯して再使用することができる。これより、フィルター５を使い捨てとして毎日新品に取り換えるとともに、本体部２については同じものを何度も使用することができる。本体部２とフィルター５については、別売りでユーザーに提供してもよいし、本体部２とフィルター５とをセットで提供してもよい。セット提供の場合、１枚の本体部２と複数枚のフィルター５とをセットにしてもよい。
【００１８】
本形態のマスク１ではまた、本体部２のメッシュ布地として、銀イオン配合等による抗菌性ガラス繊維を織り込んだものを使用するとよりよい。これにより、制菌効果、消臭効果が発揮される。フィルター５としては、静電吸着性繊維を織り込んだものを使用するとよりよい。これにより、捕集機能と通気性とのよりよい両立を図ることかできる。
【００１９】
以上詳細に説明したように本実施の形態に係るマスク１では、メッシュ布地で構成された本体部２にフィルター５を脱着可能に取り付け、フィルター固定帯４でフィルター５を保持するようにしている。これにより通気性と遮蔽性とを兼ね備え、涼快な装着感と遮蔽性能とを両立するとともに、フィルターの脱着の容易性も達成したマスク１が実現されている。
【００２０】
なお、本実施の形態は単なる例示にすぎず、本考案を何ら限定するものではない。したがって本考案は当然に、その要旨を逸脱しない範囲内で種々の改良、変形が可能である。例えば、フィルター５の外側面に絵柄や文字を書くことができる。図５に示したようにこの面は本体部２越しに透けて見えるので、デザイン性等を高めることができる。
【符号の説明】
【００２１】
１  マスク                  ３  耳掛け輪                ５  フィルター
２  本体部                  ４  フィルター固定帯        ６  補強部材
【図１】
0003227797.tif 000003
【図２】
0003227797.tif 000004
【図３】
0003227797.tif 000005
【図４】
0003227797.tif 000006
【図５】
0003227797.tif 000007